(57)【特許請求の範囲】
【請求項１】
テレビ放送の視聴履歴を記録可能な装置及びユーザの端末装置と通信回線を介して接続可能なサーバであって、
前記テレビ放送の視聴履歴を記録可能な装置から送信された前記視聴履歴を受信して格納する視聴履歴データベースと、
前記テレビ放送のＣＭに関する情報を格納したＣＭデータベースと、
前記テレビ放送を前記ユーザが所定期間に視聴したＣＭの識別記号を前記視聴履歴データベースから抽出する第１抽出手段と、
前記第１抽出手段により抽出した識別記号に応じたＵＲＬを前記ＣＭデータベースから抽出する第２抽出手段と、
前記ＵＲＬと、当該ＵＲＬを任意に選択可能とする項目とが登録された第１リストを作成する第１リスト作成手段と、
前記第１リストを前記ユーザの端末装置へ送信する第１リスト送信手段と、
前記端末装置から送信された、前記ユーザにより前記第１リストから任意に選択されたＵＲＬを示すデータを受信して第２リストを作成する第２リスト作成手段と、
前記ＣＭデータベースから前記第２リストに登録されたＵＲＬに連動したＣＭまたは広告情報のＵＲＬを抽出する第３抽出手段と、
前記第２リストに登録されたＵＲＬと、前記第３抽出手段により抽出されたＵＲＬとを登録した第３リストを作成する第３リスト作成手段と、
前記第３リストを前記ユーザの端末装置へ送信する第３リスト送信手段とを備えることを特徴とするサーバ。
【請求項２】
前記第２抽出手段は、前記ＵＲＬとともに、当該ＵＲＬの選択情報をＣＭデータベースから抽出し、
前記第１リスト作成手段は、前記ＵＲＬ及び当該ＵＲＬを任意に選択可能とする項目とともに、前記選択情報を第１リストに登録することを特徴とする請求項１に記載のサーバ。
【請求項３】
前記第３抽出手段は、前記第２リストに登録されたＵＲＬ及び前記第２リストに登録されたＵＲＬに連動したＣＭまたは広告情報のＵＲＬとともに、前記第２リストに登録されたＵＲＬ及び前記第２リストに登録されたＵＲＬに連動したＣＭまたは広告情報のＵＲＬの選択情報をＣＭデータベースから抽出し、
前記第３リスト作成手段は、前記第２リストに登録されたＵＲＬ及び前記第３抽出手段により抽出されたＵＲＬとともに、前記第２リストに登録されたＵＲＬ及び前記第３抽出手段により抽出されたＵＲＬの選択情報を前記第３リストに登録することを特徴とする請求項１または２に記載のサーバ。
【請求項４】
テレビ放送の視聴履歴を記録可能な装置及びユーザの端末と通信回線を介して接続可能なサーバが実行する制御方法であって、
前記テレビ放送を前記ユーザが所定期間に視聴したＣＭの識別記号を視聴履歴データベースから抽出する第１抽出ステップと、
前記第１抽出ステップにより抽出した識別記号に応じたＵＲＬをＣＭデータベースから抽出する第２抽出ステップと、
前記ＵＲＬと、当該ＵＲＬを任意に選択可能とする項目とが登録された第１リストを作成する第１リスト作成ステップと、
前記第１リストを前記ユーザの端末装置へ送信する第１リスト送信ステップと、
前記端末装置から送信された、前記ユーザにより前記第１リストから任意に選択されたＵＲＬを示すデータを受信して第２リストを作成する第２リスト作成ステップと、
前記ＣＭデータベースから前記第２リストに登録されたＵＲＬに連動したＣＭまたは広告情報のＵＲＬを抽出する第３抽出ステップと、
前記第２リストに登録されたＵＲＬと、前記第３抽出ステップにより抽出されたＵＲＬとを登録した第３リストを作成する第３リスト作成ステップと、
前記第３リストを前記ユーザの端末装置へ送信する第３リスト送信ステップとを備えるサーバの制御方法。
【請求項５】
テレビ放送の視聴履歴を記録可能な装置と、ユーザの端末装置と、サーバとが通信回線を介して相互に接続可能なシステムであって、
前記テレビ放送の視聴履歴を記録可能な装置は、
前記視聴履歴を前記サーバへ送信する送信手段を備え、
前記サーバは、
前記テレビ放送の視聴履歴を記録可能な装置から送信された前記視聴履歴を受信して格納する視聴履歴データベースと、
前記テレビ放送のＣＭに関する情報を格納したＣＭデータベースと、
前記テレビ放送を前記ユーザが所定期間に視聴したＣＭの識別記号を前記視聴履歴データベースから抽出する第１抽出手段と、
前記第１抽出手段により抽出した識別記号に応じたＵＲＬをＣＭデータベースから抽出する第２抽出手段と、
前記ＵＲＬと、当該ＵＲＬを任意に選択可能とする項目とが登録された第１リストを作成する第１リスト作成手段と、
前記第１リストを前記ユーザの端末装置へ送信する第１リスト送信手段と、
前記端末装置から送信された、前記ユーザにより前記第１リストから任意に選択されたＵＲＬを示すデータを受信して第２リストを作成する第２リスト作成手段と、
前記ＣＭデータベースから前記第２リストに登録されたＵＲＬに連動したＣＭまたは広告情報のＵＲＬを抽出する第３抽出手段と、
前記第２リストに登録されたＵＲＬと、前記第３抽出手段により抽出されたＵＲＬとを登録した第３リストを作成する第３リスト作成手段と、
前記第３リストを前記ユーザの端末装置へ送信する第３リスト送信手段とを備え、
前記端末装置は、
前記第１リストを受信する第１リスト受信手段と、
前記第３リストを受信する第３リスト受信手段と、
前記第１リスト及び前記第３リストを表示部に表示する表示手段とを備えることを特徴とするシステム。
【発明の詳細な説明】
【技術分野】
【０００１】
本発明は、広告を配信するサーバ、制御方法、及びシステムに関する。
【背景技術】
【０００２】
近年、デジタル家電の普及に伴い、ＴＶ放送等のマスメディアが視聴可能な端末装置において、ユーザがＴＶ放送等を視聴した際の視聴記録（例えば、ユーザＩＤ、視聴したチャンネル、視聴した時間帯、視聴した番組等）を記憶装置や記憶媒体に記録する技術が知られている。
【０００３】
また、ＴＶ番組の映像内の商品またはサービスに番組ＩＤが付加され、視聴者は、視聴した番組に付加された番組ＩＤの商品またはサービスに関する広告の詳細情報を、後日ユーザの端末装置で受信する技術が知られている（例えば、特許文献１参照）。
【特許文献１】特開２００２−１５２６１６号公報
【発明の開示】
【発明が解決しようとする課題】
【０００４】
しかしながら、特許文献１においては、視聴者が取得したい商品またはサービスの広告情報に対して、その都度、視聴者が端末装置を操作して、商品またはサービスの広告情報を取得する必要がある。また、広告配信者にとっては、ＴＶ放送等のマスメディアでの広告は、配信者側から視聴者側へ対しての一方通行であるため、配信した広告と視聴者との関連付けが薄いという問題点があった。
【０００５】
そこで、本発明は、視聴者が取得したい広告に、視聴者からアクセスする必要がなく、さらに、ＴＶ放送等のマスメディアでの広告と視聴者とを密接に関連付けることができるサーバ、制御方法、及びシステムを提供する。
【課題を解決するための手段】
【０００６】
本発明では、以下のような解決手段を提供する。
【０００７】
（１）テレビ放送の視聴履歴を記録可能な装置（例えば、ＴＶ受信機能付き端末装置１０）及びユーザの端末装置（例えば、端末装置３０）と通信回線（例えば、通信回線４０）を介して接続可能なサーバ（例えば、サーバ２０）であって、前記テレビ放送の視聴履歴を記録可能な装置から送信された前記視聴履歴を受信して格納する視聴履歴データベース（例えば、視聴履歴データベース２４）と、前記テレビ放送のＣＭに関する情報を格納したＣＭデータベース（例えば、ＣＭデータベース２５）と、前記テレビ放送を前記ユーザが所定期間に視聴したＣＭの識別記号を前記視聴履歴データベースから抽出する第１抽出手段（例えば、制御部２１）と、前記第１抽出手段により抽出した識別記号に応じたＵＲＬを前記ＣＭデータベースから抽出する第２抽出手段（例えば、制御部２１）と、前記ＵＲＬと、当該ＵＲＬを任意に選択可能とする項目とが登録された第１リスト（例えば、最近見たＣＭリスト２６）を作成する第１リスト作成手段（例えば、制御部２１）と、前記第１リストを前記ユーザの端末装置へ送信する第１リスト送信手段（例えば、通信部２３）とを備える。
【０００８】
（１）の構成によれば、サーバは、テレビ放送をユーザが所定期間に視聴したＣＭの識別記号を視聴履歴データベースから抽出し、抽出した識別記号に応じたＵＲＬをＣＭデータベースから抽出し、ＵＲＬと、当該ＵＲＬを任意に選択可能とする項目とが登録された第１リストを作成し、第１リストをユーザの端末装置へ送信する。
【０００９】
このようにして、サーバは、ユーザが過去に視聴したＣＭのリストを作成し、ユーザの端末装置に送信するため、ユーザは、過去に視聴したＣＭの中で再度視聴したいＣＭを、端末装置に送信されたリストから選択し、取得することができる。また、広告配信者は、マスメディアであるＴＶ放送で配信したＣＭを、ユーザが端末装置に送信されたリストの中から選択し、選択したＣＭをユーザの端末装置に配信することにより、マスメディアでのＣＭを、パーソナルメディアであるユーザの端末装置に配信するため、ＣＭと視聴者を密接に関連付けることができ、広告収益を向上させることができる。
【００１０】
（２）前記第２抽出手段は、前記ＵＲＬとともに、当該ＵＲＬの選択情報（例えば、ＣＭ情報（１））をＣＭデータベースから抽出し、前記第１リスト作成手段は、前記ＵＲＬ及び当該ＵＲＬを任意に選択可能とする項目とともに、前記選択情報を第１リストに登録することを特徴とする請求項１に記載のサーバ。
【００１１】
（２）の構成によれば、サーバは、ＵＲＬとともに、当該ＵＲＬの選択情報をＣＭデータベースから抽出し、ＵＲＬ及び当該ＵＲＬを任意に選択可能とする項目とともに、選択情報を第１リストに登録する。
【００１２】
このようにして、ＵＲＬを選択するための情報を第１リストに登録することで、第１リストが端末装置の表示部に表示されたときに、ユーザがＣＭの情報を得て、ＵＲＬを選択することができる。
【００１３】
（３）前記端末装置から送信された、前記ユーザにより前記第１リストから任意に選択されたＵＲＬを示すデータを受信して第２リスト（例えば、選択ＣＭリスト２７）を作成する第２リスト作成手段（例えば、制御部２１）と、前記ＣＭデータベースから前記第２リストに登録されたＵＲＬに連動したＣＭまたは広告情報のＵＲＬを抽出する第３抽出手段（例えば、制御部２１）と、前記第２リストに登録されたＵＲＬと、前記第３抽出手段により抽出されたＵＲＬとを登録した第３リスト（例えば、お気に入りＣＭリスト２８）を作成する第３リスト作成手段（例えば、制御部２１）と、前記第３リストを前記ユーザの端末装置へ送信する第３リスト送信手段（例えば、通信部２３）とをさらに備えることを特徴とする（１）に記載のサーバ。
【００１４】
（３）の構成によれば、（１）に記載のサーバは、端末装置から送信された、ユーザにより第１リストから任意に選択されたＵＲＬを登録した第２リストを作成し、ＣＭデータベースから第２リストに登録されたＵＲＬに連動したＣＭまたは広告情報のＵＲＬを抽出し、作成した第２リストに登録されたＵＲＬと、抽出されたＵＲＬとを登録した第３リストを作成し、第３リストをユーザの端末装置へ送信する。
【００１５】
このようにして、第２リストに登録されたＵＲＬに連動したＣＭまたは広告情報のＵＲＬを、第３リストに登録することで、ユーザが取得したいＣＭに連動したＣＭまたは広告情報を、ユーザの端末装置に送信できるため、ユーザが取得したいＣＭと、このＣＭに連動したＣＭまたは広告情報を関連付けることができ、広告収益を向上させることができる。
【００１６】
（４）前記第３抽出手段は、前記第２リストに登録されたＵＲＬ及び前記第２リストに登録されたＵＲＬに連動したＣＭまたは広告情報のＵＲＬとともに、前記第２リストに登録されたＵＲＬ及び前記第２リストに登録されたＵＲＬに連動したＣＭまたは広告情報のＵＲＬの選択情報（例えば、ＣＭ情報（２））をＣＭデータベースから抽出し、前記第３リスト作成手段は、前記第２リストに登録されたＵＲＬ及び前記第３抽出手段により抽出されたＵＲＬとともに、前記第２リストに登録されたＵＲＬ及び前記第３抽出手段により抽出されたＵＲＬの選択情報を前記第３リストに登録することを特徴とする（３）に記載のサーバ。
【００１７】
（４）の構成によれば、（３）に記載のサーバは、第２リストに登録されたＵＲＬ及び第２リストに登録されたＵＲＬに連動したＣＭまたは広告情報のＵＲＬとともに、第２リストに登録されたＵＲＬ及び第２リストに登録されたＵＲＬに連動したＣＭまたは広告情報のＵＲＬの選択情報をＣＭデータベースから抽出し、第２リストに登録されたＵＲＬ及び抽出されたＵＲＬとともに、前記第２リストに登録されたＵＲＬ及び抽出されたＵＲＬの選択情報を第３リストに登録する。
【００１８】
このようにして、ＵＲＬを選択するための情報を第３リストに登録することで、第３リストが端末装置の表示部に表示されたときに、ユーザがＣＭの情報を得て、ＵＲＬを選択することができる。
【００１９】
（５）テレビ放送の視聴履歴を記録可能な装置及びユーザの端末と通信回線を介して接続可能なサーバの制御方法であって、前記テレビ放送を前記ユーザが所定期間に視聴したＣＭの識別記号を視聴履歴データベースから抽出する第１抽出ステップと、前記第１抽出ステップにより抽出した識別記号に応じたＵＲＬをＣＭデータベースから抽出する第２抽出ステップと、前記ＵＲＬと、当該ＵＲＬを任意に選択可能とする項目とが登録された第１リストを作成する第１リスト作成ステップと、前記第１リストを前記ユーザの端末装置へ送信する第１リスト送信ステップとを備えるサーバの制御方法。
【００２０】
（５）の構成によれば、（１）のサーバと同様な作用効果を奏する発明を制御方法として提供可能である。
【００２１】
（６）テレビ放送の視聴履歴を記録可能な装置と、ユーザの端末装置と、サーバとが通信回線を介して相互に接続可能なシステムであって、前記テレビ放送の視聴履歴を記録可能な装置は、前記視聴履歴を前記サーバへ送信する送信手段を備え、前記サーバは、前記テレビ放送の視聴履歴を記録可能な装置から送信された前記視聴履歴を受信して格納する視聴履歴データベースと、前記テレビ放送のＣＭに関する情報を格納したＣＭデータベースと、前記テレビ放送を前記ユーザが所定期間に視聴したＣＭの識別記号を前記視聴履歴データベースから抽出する第１抽出手段と、前記第１抽出手段により抽出した識別記号に応じたＵＲＬをＣＭデータベースから抽出する第２抽出手段と、前記ＵＲＬと、当該ＵＲＬを任意に選択可能とする項目とが登録された第１リストを作成する第１リスト作成手段と、前記第１リストを前記ユーザの端末装置へ送信する第１リスト送信手段とを備え、前記端末装置は、前記第１リストを受信する第１リスト受信手段と、前記第１リストを表示部に表示する表示手段とを備えることを特徴とするシステム。
【００２２】
（６）の構成によれば、（１）のサーバと同様な作用効果を奏する発明をシステムとして提供可能である。
【発明の効果】
【００２３】
本発明によれば、ユーザが過去に視聴したＣＭのリストを作成し、ユーザの端末装置に送信されるため、ユーザは、過去に視聴したＣＭの中で再度視聴したいＣＭを、端末装置に送信されたリストから選択し、取得することができる。また、広告配信者は、マスメディアであるＴＶ放送で配信したＣＭを、ユーザが端末装置に送信されたリストの中から選択し、選択したＣＭをユーザの端末装置に配信することにより、マスメディアでのＣＭを、パーソナルメディアであるユーザの端末装置に配信するため、ＣＭと視聴者を密接に関連付けることができ、広告収益を向上させることができる。
【発明を実施するための最良の形態】
【００２４】
［システムの全体構成］
以下、本発明の実施形態について図面を参照しながら説明する。図１は、本発明に係るシステム１の全体構成を示すブロック図である。システム１は、ＴＶ受信機能つき端末装置１０、サーバ２０及びが端末装置３０を含んで構成される。ＴＶ受信機能つき端末装置１０、サーバ２０及びが端末装置３０は、それぞれ通信回線４０を介して接続されている。ＴＶ受信機能つき端末装置１０は、ＴＶ放送を受信して表示部等に表示でき、ユーザのＴＶ放送の視聴履歴を、記憶装置または記憶媒体に記録し、記録した視聴履歴を通信回線４０を介して送信可能な端末装置である。サーバ２０は、必要に応じてＷｅｂサーバ、ＤＢサーバ、アプリケーションサーバを含んで構成してよく、１台のサーバで構成しても、それぞれ別のサーバで構成してもよい。また、端末装置３０は、ＰＣ、モバイル、ＰＤＡ（Ｐｅｒｓｏｎａｌ  Ｄｉｇｉｔａｌ  Ａｓｓｉｓｔａｎｔ）端末等を代表とするものであり、通信回線４０を介して、サーバ２０から送信される情報を参照できるものであればどのようなものでもよい。
【００２５】
［サーバ及び端末装置の機能構成］
図２は、本発明に係るサーバ２０及び端末装置３０の機能構成を示すブロック図である。
【００２６】
サーバ２０は、制御部２１、記憶部２２、通信部２３を備え、通信部２３を介して通信回線４０との通信が可能である。
【００２７】
各部の制御を司る制御部２１は、中央処理装置(ＣＰＵ)等を用いて構成され、各種プログラムを実行したり、各種デバイスの動作についての管理や制御を行う。
【００２８】
記憶部２２は、各種データや各種プログラム及び本発明の機能を実行するプログラム等を記憶するために設けられており、視聴履歴データベース２４と、ＣＭデータベース２５と、最近見たＣＭリスト２６と、選択ＣＭリスト２７と、お気に入りＣＭリスト２８とを含んで構成される。記憶部２２は、内部または外部の記憶媒体に格納されてもよく、記憶媒体として、ハードディスク、光ディスク、磁気ディスク、光磁気ディスク、磁気テープ、メモリーカード等全ての記憶装置及び記憶媒体を使用することができる。
【００２９】
視聴履歴データベース２４は、図３及び図４を参照しながら説明する。図３は、ＴＶ受信機能つき端末装置１０の記憶装置または記憶媒体に記録された視聴履歴の例を示したテーブルである。ＴＶ受信機能つき端末装置１０から送信された視聴履歴は、サーバ２０の通信部２３により受信され、受信された視聴履歴は、制御部２１により視聴履歴データベース２４に格納される。図４は、視聴履歴データベース２４に格納された視聴履歴の例を示したテーブルである。視聴履歴データベース２４には、視聴者のユーザＩＤ、当該視聴者が視聴したチャンネル、当該チャンネルを視聴した時間、当該チャンネルで視聴したＣＭのＣＭＩＤが登録されている。視聴履歴データベース２４は、制御部２１により視聴者のユーザＩＤ及びＣＭＩＤが抽出される。
【００３０】
ＣＭデータベース２５は、図５を参照しながら説明する。図５は、ＣＭデータベース２５に格納されている内容を示したテーブルである。ＣＭデータベース２５には、ＣＭＩＤ、ＣＭＩＤに応じたＣＭのＵＲＬ（１）、ＣＭのＵＲＬ（１）に連動したＣＭのＵＲＬ（２）が登録されている。さらに、ＣＭのＵＲＬ（２）に連動したＣＭのＵＲＬ（３）（図示せず）が登録されていてもよい。このように、ＣＭデータベース２５には、あるＣＭに連動したＣＭのＵＲＬが連鎖的に登録されている。ＣＭデータベース２５は、制御部２１によりＣＭＩＤに応じたＣＭのＵＲＬが抽出される。
【００３１】
最近見たＣＭリスト２６は、図６を参照しながら説明する。最近見たＣＭリスト２６は、ＣＭデータベース２５から制御部２１により抽出されたＣＭのＵＲＬ（１）、ＣＭ情報（１）、ＣＭのＵＲＬ（１）及びＣＭ情報（１）を選択するためのチェックボックスが登録されている。最近見たＣＭリスト２６は、制御部２１により作成され、通信部２３から通信回線４０を介して端末装置３０へ送信される。
【００３２】
選択ＣＭリスト２７は、図７を参照しながら説明する。選択ＣＭリスト２７は、サーバ２０から送信された、最近見たＣＭリスト２６の中からユーザが任意に選択したＣＭのＵＲＬ（１）と、このＣＭのＣＭ情報（１）が登録されており、制御部２１により作成され、記憶部２２に格納される。
【００３３】
お気に入りＣＭリスト２８は、図８及び図９を参照しながら説明する。図８に示す、お気に入りＣＭリスト２８は、選択ＣＭリスト２７に登録されたＣＭのＵＲＬ（１）及びＣＭ情報（１）が登録され、さらにＣＭのＵＲＬ（１）に連動したＣＭのＵＲＬ（２）及びＣＭ情報（２）が登録されている。図９に示す、お気に入りＣＭリスト２７は、図８に示したお気に入りＣＭリスト２８に加え、ＣＭのＵＲＬ（２）に連動したＣＭのＵＲＬ（３）及びＣＭ情報（３）が登録されている。お気に入りＣＭリスト２８は、制御部２１により作成され、通信部２３から通信回線４０を介して端末装置３０へ送信される。
【００３４】
通信部２３は、通信回線４０を介して情報提供先から提供される配信情報を受信し、通信回線４０を介して各種情報を送信する。
【００３５】
端末装置３０は、制御部３１、記憶部３２、通信部３３、入力部３４及び表示部３５、を備え、通信部３３を介して通信回線４０との通信が可能である。なお、端末装置３０は、コンピュータとして実現した例で説明しているが、これに限らず、携帯電話、ＰＤＡ（Ｐｅｒｓｏｎａｌ  Ｄｉｇｉｔａｌ  Ａｓｓｉｓｔａｎｔ）等の情報端末装置の表示装置や、Ｗｅｂテレビのようなネットワーク接続可能な情報表示装置で実現してもよい。
【００３６】
各部の制御を司る制御部３１は、中央処理装置(ＣＰＵ)等を用いて構成され、各種プログラムを実行したり、各種デバイスの動作についての管理や制御を行う。
【００３７】
記憶部３２は、各種データや各種プログラム及び本発明の機能を実行するプログラム等を記憶するために設けられる。記憶部３２は、内部または外部の記憶媒体に格納されてもよく、記憶媒体として、ハードディスク、光ディスク、磁気ディスク、光磁気ディスク、磁気テープ、メモリーカード等全ての記憶装置及び記憶媒体を使用することができる。
【００３８】
通信部３３は、通信回線４０を介して情報提供先から提供される配信情報を受信し、通信回線４０を介して各種情報を送信する。
【００３９】
入力部３４は、キーボード、マウス等を備えており、入力情報は制御部３１の制御下で処理される。
【００４０】
表示部３５は、液晶ディスプレイ、ブラウン管ＣＲＴ等によって構成され、各種情報を表示する。
【００４１】
［サーバ及び端末装置の処理］
ここで、本発明に係るサーバ２０及び端末装置３０の処理について説明する。
【００４２】
まず始めに、サーバ２０は、ＴＶ受信機能つき端末装置１０から送信された視聴履歴を通信部２３により受信する。視聴履歴は、図３及び図４に示したように、例えば、ユーザＩＤ、ユーザが視聴したテレビ放送のチャンネル、ユーザがテレビ放送のチャンネルを視聴した時間、ユーザがＴＶ放送の中で視聴したＣＭのＣＭＩＤ等である。
【００４３】
次に、制御部２１は、通信部２３により受信した視聴履歴を視聴履歴データベース２４に格納する。そして、制御部２１は、視聴履歴データベース２４からユーザが所定期間に視聴したＣＭのＣＭＩＤを抽出する。ここで、ＣＭＩＤとは、ＣＭごとに付与され、各ＣＭを識別するための記号をいう。制御部２１は、抽出したＣＭＩＤに応じたＣＭのＵＲＬ（１）をＣＭデータベース２５から抽出し、このＣＭのＵＲＬ（１）と、ＣＭのＵＲＬ（１）をユーザが任意に選択するためのチェックボックスを登録した、最近見たＣＭリスト２６を作成し、通信部２３を介してユーザの端末装置３０へ送信する。
【００４４】
ユーザの端末装置３０は、サーバ２０から送信された、最近見たＣＭリスト２６を通信部３３により受信する。制御部３１は、受信した最近見たＣＭリスト２６を表示部３５に表示する。図１０は、最近見たＣＭリスト２６を表示部３５に表示した例である。ユーザは、表示部３５に表示された最近見たＣＭリスト２６の中から、ユーザが取得したいＣＭのチェックボックスにチェックを入れることにより、ＣＭを選択することができる。制御部３１は、ユーザが選択したＣＭのＵＲＬ（１）を示すデータを、通信部３３を介してサーバ２０へ送信する。
【００４５】
サーバ２０は、端末装置３０から送信されたユーザが選択したＣＭのＵＲＬ（１）を示すデータを通信部２３により受信する。制御部２１は、受信したユーザが選択したＣＭのＵＲＬ（１）を示すデータを登録した選択ＣＭリスト２７を作成し、記憶部２２に格納する。制御部２１は、選択ＣＭリスト２７に登録されたＣＭのＵＲＬ（１）を抽出し、抽出したＣＭのＵＲＬ（１）に連動したＣＭのＵＲＬ（２）をＣＭデータベース２５から抽出し、抽出したＣＭのＵＲＬ（１）及びＣＭのＵＲＬ（２）を登録したお気に入りＣＭリスト２８を作成し、通信部２３を介して端末装置３０へ送信する。なお、本実施形態においては、ＣＭのＵＲＬ（１）に連動するＵＲＬとして、ＣＭデータベース２５に格納されたＣＭのＵＲＬ（２）を用いたが、これに限られない。例えば、記憶部３２に広告情報データベースを設け、制御部２１は、ＣＭのＵＲＬ（１）に連動するＵＲＬとして、広告情報データベースに格納された広告情報のＵＲＬを抽出し、ＣＭのＵＲＬ（１）と、ＣＭのＵＲＬ（１）に連動した広告情報のＵＲＬを登録したお気に入りＣＭリスト２８を作成してもよい。これにより、ユーザは、ＣＭに連動したＣＭだけでなく、ＣＭに連動した広告情報を視聴することができる。ここで、広告情報データベースに格納される広告情報は、バナーやＵＲＬ等である。
【００４６】
端末装置３０は、サーバ２０から送信されたお気に入りＣＭリスト２８を通信部３３により受信し、制御部３１は、受信したお気に入りＣＭリスト２８を表示部３５に表示する。図１１は、お気に入りＣＭリスト２８を表示部３５に表示した表示例である。図１１では、ユーザＩＤ：ＡＡＡさんのお気に入りＣＭリスト２８が、表示部３５に表示されている。最近見たＣＭリスト２６から選択したＣＭ情報（１）には、「Ｓ社携帯電話  新機種」及び「Ｍ社新車情報」が表示され、それぞれに表示されている文字は、ＣＭのＵＲＬ（１）にリンクしている。また、ＣＭ情報（２）には、「Ｓ社携帯電話  新機種」のＣＭ情報（１）に連動した「Ｓ社携帯電話  コンテンツ情報」が表示され、表示されている文字は、ＣＭのＵＲＬ（２）にリンクしており、ユーザにＣＭ情報（２）が追加されたことを知らせるための「ここだけの耳寄り情報！！」のポップアップが表示されている。
【００４７】
ユーザが、お気に入りＣＭリスト２８に登録されたＣＭのＵＲＬ（１）またはＣＭのＵＲＬ（２）にアクセスした場合、制御部３１は、ＣＭのＵＲＬ（１）またはＣＭのＵＲＬ（２）を要求する信号を、通信部３３からサーバ２０へ送信する。サーバ２０は、通信部２３により送信された信号を受信し、制御部２１は、受信した信号に応じたＣＭのデータをＣＭデータベース２５から読み出し、通信部２３から端末装置３０へ送信する。端末装置３０は、通信部３３により送信されたＣＭのデータを受信し、制御部３１は、受信したＣＭのデータを表示部３５へ表示する。これにより、ユーザは、お気に入りＣＭリスト２７に登録されたＣＭを視聴することができる。
【００４８】
また、制御部２１は、通信部２３からユーザから要求されたＵＲＬのＣＭのデータを送信するとともに、ＣＭデータベース２５からＣＭのＵＲＬ（２）に連動したＣＭのＵＲＬ（３）及びＣＭ情報（３）を抽出し、抽出したＣＭのＵＲＬ（３）及びＣＭ情報（３）をお気に入りＣＭリスト２８に登録し、お気に入りＣＭリスト２８を端末装置３０へ送信する。端末装置３０は、通信部３３によりお気に入りＣＭリスト２８を受信し、制御部３１は、受信したお気に入りＣＭリスト２８を表示部３５に表示する。図１２は、ＣＭのＵＲＬ（３）を追加したお気に入りＣＭリスト２８を表示部３５に表示した表示例である。図１２は、図１１に示したお気に入りＣＭリスト２８の表示例に加えて、ＣＭ情報（２）に連動した、「Ｓ社携帯電話  アプリケーション情報」が表示され、表示されている文字は、ＣＭのＵＲＬ（３）へリンクしている。また、ユーザにＣＭ情報（３）が追加されたことを知らせるための「ここだけの耳寄り情報！！」のポップアップが表示されている。これにより、ユーザは、ＣＭのＵＲＬ（３）へアクセスすることで、ＣＭのＵＲＬ（２）に連動したＣＭを視聴することができる。
【００４９】
このようにして、ユーザが過去に視聴したＣＭのリストがユーザの端末装置に送信されるため、ユーザは、過去に視聴したＣＭの中で再度視聴したいＣＭを、端末装置に送信されたリストから選択し、取得することができる。また、広告配信者は、マスメディアであるＴＶ放送で配信したＣＭを、ユーザが端末装置に送信されたリストの中から選択し、選択したＣＭをユーザの端末装置に配信することにより、マスメディアでのＣＭを、パーソナルメディアであるユーザの端末装置に配信するため、ＣＭと視聴者を密接に関連付けることができ、広告収益を向上させることができる。
【００５０】
また、最近見たＣＭリスト２６からユーザが任意に選択し、選択ＣＭリスト２７に登録されたＣＭのＵＲＬ（１）を登録したお気に入りＣＭリスト２８を作成して、ユーザの端末装置３０に送信するため、ユーザは、お気に入りＣＭリスト２８に登録されたＣＭのＵＲＬ（１）にアクセスし、ＣＭを視聴することができる。
【００５１】
また、選択ＣＭリスト２７に登録されたＣＭのＵＲＬ（１）に連動したＣＭのＵＲＬ（２）を、お気に入りＣＭリスト２８に登録することで、ユーザが取得したいＣＭに連動したＣＭが登録されたリストを、ユーザの端末装置３０に送信できるため、ユーザが取得したいＣＭと、このＣＭに連動したＣＭを関連付けることができる。したがって、ユーザは、自分の興味のあるＣＭに関連したＣＭを視聴することができ、また、広告配信者にとっては、お気に入りＣＭリスト２８にＣＭのＵＲＬを登録しているユーザは、お気に入りＣＭリスト２８に登録したＣＭの内容に関心を持っていると考えられるため、効率良く広告を配信することができる。
【００５２】
［最近見たＣＭリスト作成フロー］
図１３は、サーバ２０において、最近見たＣＭリスト２６を作成する処理の流れを示すフローチャートである。
【００５３】
まず始めに、ステップＳ１では、制御部２１は、特定のユーザＩＤ（例えば、ＡＡＡのユーザＩＤ）を視聴履歴データベース２４の中から検索する。
【００５４】
次に、ステップＳ２では、制御部２１は、視聴履歴データベース２４に特定のユーザＩＤが格納されているかどうか判断する。特定のユーザＩＤが格納されている場合（Ｙｅｓ）には、ステップＳ３へ移る。一方、特定のユーザＩＤが格納されていない場合（Ｎｏ）には、ステップＳ１へ戻る。
【００５５】
ステップＳ３では、制御部２１は、特定のユーザＩＤを持つユーザが、ＴＶ放送を視聴した時間が所定期間（例えば、２４時間以内。）であるかどうか判断する。ＴＶ放送を視聴した時間が所定期間である場合（Ｙｅｓ）には、ステップＳ４へ移る。一方、ＴＶ放送を視聴した時間が所定期間でない場合（Ｎｏ）には、ステップＳ２へ戻る。なお、所定期間は、２４時間以内としたが、これに限られない。
【００５６】
ステップＳ４では、制御部２１は、ユーザがＴＶ放送を視聴した時間に放送されたＣＭのＣＭＩＤを視聴履歴データベース２４の中から抽出する。
【００５７】
ステップＳ５では、制御部２１は、ステップＳ４で抽出したＣＭＩＤをＣＭデータベース２５から検索する。
【００５８】
ステップＳ６では、制御部２１は、ステップＳ４で抽出したＣＭＩＤがＣＭデータベース２５に格納されているかどうか判断する。ＣＭＩＤがＣＭデータベース２５に格納されている場合（Ｙｅｓ）には、ステップＳ７へ移る。一方、ＣＭＩＤがＣＭデータベース２５に格納されていない場合（Ｎｏ）には、本処理を終了する。
【００５９】
ステップＳ７では、制御部２１は、ＣＭＩＤに応じたＣＭのＵＲＬ（１）及びＣＭ情報（１）をＣＭデータベース２５から抽出する。
【００６０】
ステップＳ８では、制御部２１は、ステップＳ７で抽出したＣＭのＵＲＬ（１）、ＣＭ情報（１）、及び当該ＣＭのＵＲＬ（１）を任意に選択可能とする選択情報としてチェックボックスを、最近見たＣＭリスト２６に登録し、本処理を終了する。
【００６１】
このようにして、ユーザＩＤをキーワードにして視聴履歴データベース２４を検索し、検索したＣＭＩＤを視聴履歴データベース２４から抽出する。そして、抽出したＣＭＩＤをキーワードにＣＭデータベース２５からＣＭのＵＲＬ（１）及びＣＭ情報（１）を検索し、検索したＣＭのＵＲＬ（１）及びＣＭ情報（１）をＣＭデータベース２５から抽出し、最近見たＣＭリスト２６に登録する。これにより、ユーザが所定期間に視聴したＣＭのＵＲＬ及びＣＭ情報が登録されたリストを作成することができる。したがって、当該リストをユーザの端末装置３０に送信することで、ユーザはリストの中から取得したいＣＭのＵＲＬを任意に選択することができる。
【００６２】
［お気に入りＣＭリスト作成フロー］
図１４は、サーバ２０において、お気に入りＣＭリスト２８を作成する処理の流れを示したフローチャートである。
【００６３】
ステップＳ１１では、制御部２１は、選択ＣＭリスト２７から、ＣＭのＵＲＬ（１）を抽出する。
【００６４】
ステップＳ１２では、制御部２１は、ステップＳ１１で抽出したＣＭのＵＲＬ（１）に連動したＣＭのＵＲＬ（２）をＣＭデータベース２５から検索する。
【００６５】
ステップＳ１３では、制御部２１は、ＣＭのＵＲＬ（２）がＣＭデータベース２５に格納されているかどうかを判断する。ＣＭのＵＲＬ（２）がＣＭデータベース２５に格納されている場合（Ｙｅｓ）には、ステップＳ１４へ移る。一方、ＣＭのＵＲＬ（２）がＣＭデータベース２５に格納されていない場合（Ｎｏ）には、本処理を終了する。
【００６６】
ステップＳ１４では、制御部２１は、ＣＭのＵＲＬ（２）及びＣＭ情報（２）をＣＭデータベース２５から抽出する。
【００６７】
ステップＳ１５では、制御部２１は、ステップＳ１１で抽出したＣＭのＵＲＬ（１）、ステップＳ１４で抽出し、ＣＭのＵＲＬ（１）に連動したＣＭのＵＲＬ（２）、及びＣＭ情報（２）を登録したお気に入りＣＭリスト２８を作成し、ステップＳ１１へ戻る。
【００６８】
このようにして、ユーザにより選択されたＣＭのＵＲＬ（１）に連動したＣＭのＵＲＬ（２）を登録したお気に入りリスト２８を作成することにより、ユーザが視聴したいＣＭと当該ＣＭに連動したＣＭを関連付けることができる。したがって、ユーザは、自分の興味のあるＣＭに関連したＣＭを視聴することができ、また、広告配信者にとっては、お気に入りＣＭリスト２８にＣＭのＵＲＬを登録しているユーザは、お気に入りＣＭリスト２８に登録したＣＭの内容に関心を持っていると考えられるため、効率良く広告を配信することができる。
【００６９】
なお、本実施形態においては、お気に入りＣＭリスト２８に登録されたＣＭのＵＲＬにユーザが接続することで、ユーザはＣＭを視聴したが、これに限られない。例えば、お気に入りＣＭリスト２８に登録されたＣＭのデータを、ユーザの端末装置３０の記憶部２２内に格納してもよい。これにより、ユーザは、通信回線に接続することなく、お気に入りＣＭリスト２８に登録されたＣＭを視聴することができる。さらに、本実施形態においては、お気に入りＣＭリスト２８を、ＣＭのＵＲＬ（１）、ＣＭ情報（１）、ＣＭのＵＲＬ（２）、ＣＭ情報（２）、・・・というような項目で構成したが、お気に入りＣＭリスト２８の構成はこれに限られず、視聴したいＣＭとして選択した所定のユーザに対して、継続的に新たなＣＭ（広告情報）を関連付けることが可能なリストであれば別の構成でもよい。
【００７０】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【００７１】
【図１】本発明に係るシステムの全体構成を示すブロック図である。
【図２】本発明に係るサーバ及び端末装置の機能を示すブロック図である。
【図３】ＴＶ受信機能付き端末装置内に格納された視聴履歴の例を示すテーブルである。
【図４】視聴履歴データベース内に格納された視聴履歴の例を示すテーブルである。
【図５】ＣＭデータベースの内容を示すテーブルである。
【図６】最近見たＣＭリストを示す図である。
【図７】選択ＣＭリストを示す図である。
【図８】お気に入りＣＭリストを示す図である。
【図９】お気に入りＣＭリストを示す図である。
【図１０】最近見たＣＭリストの表示例を示す図である。
【図１１】お気に入りＣＭリストの表示例を示す図である。
【図１２】お気に入りＣＭリストの表示例を示す図である。
【図１３】最近見たＣＭリストを作成する流れを示すフローチャートである。
【図１４】お気に入りＣＭリストを作成する流れを示すフローチャートである。
【符号の説明】
【００７２】
１  システム
１０  ＴＶ受信機能付き端末装置
２０  サーバ
２１  制御部
２２  記憶部
２３  通信部
２４  視聴履歴データベース
２５  ＣＭデータベース
２６  最近見たＣＭリスト
２７  選択ＣＭリスト
２８  お気に入りＣＭリスト
３０  端末装置
３１  制御部
３２  記憶部
３３  通信部
３４  入力部
３５  表示部
【図１】
0004921342.tif 000002
【図２】
0004921342.tif 000003
【図３】
0004921342.tif 000004
【図４】
0004921342.tif 000005
【図５】
0004921342.tif 000006
【図６】
0004921342.tif 000007
【図７】
0004921342.tif 000008
【図８】
0004921342.tif 000009
【図９】
0004921342.tif 000010
【図１０】
0004921342.tif 000011
【図１１】
0004921342.tif 000012
【図１２】
0004921342.tif 000013
【図１３】
0004921342.tif 000014
【図１４】
0004921342.tif 000015